(57)【特許請求の範囲】
【請求項１】
略円形の平面形状を成し且つその上面の中心位置からずれた箇所に偏心軸を立設した下部ディスクと、該下部ディスクの上面に摺動自在に載置されて略円形の平面形状を成し且つその中心部に前記偏心軸を遊嵌せしめる遊嵌孔を開口した上部ディスクと、前記偏心軸の上端に前記遊嵌孔より大きな平面形状を成すように装着されて前記偏心軸の下方への抜脱を阻止する係止板と、前記下部ディスクの下面に装着され且つ前記偏心軸の中心位置に対する偏心方向と一致する方向へのみ滑りを生じる方向規制滑材と、前記上部ディスクの上面に前記係止板を拘束しないように装着されて支持対象物に対する取付構造を成す取付部材とを備えたことを特徴とするキャスタ。
【請求項２】
方向規制滑材が、毛足を一方向に向けて滑り方向を規制するようにした織布により構成されていることを特徴とする請求項１に記載のキャスタ。
【請求項３】
方向規制滑材が、複数本の突条を一方向に向けて滑り方向を規制するようにした合成樹脂板により構成されていることを特徴とする請求項１に記載のキャスタ。
【発明の詳細な説明】
【０００１】
【発明の属する技術分野】
本発明は、家具類、荷台類、機械類等を移動自在に支えるためのキャスタに関するものである。
【０００２】
【従来の技術】
図１６は従来におけるキャスタの一例を示すもので、床面ａに対し接地される転動輪ｂが二股状に形成されたブラケットｃの左右一対の下端部により軸支され、このブラケットｃの上端部分が平板状の取付部材ｄに対し旋回軸Ａを中心に首振り旋回し得るように取付けられており、この取付部材ｄが家具類や荷台類、機械類等の支持対象物ｅにおける床面ａとの接地箇所に対し取付けられて、これらの支持対象物ｅの床面ａ上での移動を容易ならしめるようになっている。
【０００３】
そして、この種のキャスタにおいては、転動輪ｂの回転中心を通る鉛直線Ｂとブラケットｃの旋回軸Ａとが位置をずらして配置されており、支持対象物ｅを手で押して移動させる際に、旋回軸Ａ側を支持対象物ｅと共に先行して移動させ、これにより鉛直線Ｂ側を誘導して後方から追従させて、支持対象物ｅの移動方向に対応した向きにブラケットｃを良好に首振り旋回させるようになっている。
【０００４】
【発明が解決しようとする課題】
しかしながら、従来の転動輪ｂを利用したキャスタにおいては、前述したような旋回軸Ａと鉛直線Ｂとの位置ずれが設定してあるため、旋回軸Ａの直上にかかる下方向きの荷重Ｃが、転動輪ｂの回転中心を基点とする矢印Ｄの如き転倒モーメントを潜在的に生じ易いという問題があり、特に支持対象物ｅ自体の重量が軽く且つ旋回軸Ａを挟んだ鉛直線Ｂの反対側へ離間した位置に下方向きの荷重が局所的に作用したような場合には、支持対象物ｅに転倒が生じる可能性が非常に高くなって危険である。
【０００５】
また、従来の転動輪ｂを利用したキャスタでは、床面ａに対し転動輪ｂの円周方向の一点で点接触（転動輪ｂにクラウニングが施されていない場合は線接触）となって応力集中を起こし易かったため、重量の重い支持対象物ｅの移動時等に床面ａを傷つける虞れもあった。
【０００６】
本発明は上述の実情に鑑みてなしたもので、支持対象物を床面に対し面接触で安定して支えて転倒モーメントの発生を回避し且つ小さな力でも軽やかに支持対象物を滑らせて床面を傷つけることなく簡単に移動し得るようにしたキャスタを提供することを目的としている。
【０００７】
【課題を解決するための手段】
本発明は、略円形の平面形状を成し且つその上面の中心位置からずれた箇所に偏心軸を立設した下部ディスクと、該下部ディスクの上面に摺動自在に載置されて略円形の平面形状を成し且つその中心部に前記偏心軸を遊嵌せしめる遊嵌孔を開口した上部ディスクと、前記偏心軸の上端に前記遊嵌孔より大きな平面形状を成すように装着されて前記偏心軸の下方への抜脱を阻止する係止板と、前記下部ディスクの下面に装着され且つ前記偏心軸の中心位置に対する偏心方向と一致する方向へのみ滑りを生じる方向規制滑材と、前記上部ディスクの上面に前記係止板を拘束しないように装着されて支持対象物に対する取付構造を成す取付部材とを備えたことを特徴とするキャスタ、に係るものである。
【０００８】
而して、このようなキャスタを支持対象物の床面に対する接地箇所に取付部材を介し取付けて支持対象物を支持させると、該支持対象物の荷重が下部ディスクの下面により床面に対し面接触で安定して支えられることになり、しかも、下部ディスクの上面に対し上部ディスクの下面も面接触で安定して載置されることになるので、従来の転動輪を利用したキャスタの如き転倒モーメントが発生する虞れや床面を傷つける虞れがなくなる。
【０００９】
また、支持対象物を移動させるに際しては、下部ディスク下面の方向規制滑材が方向性を持っているので、支持対象物の移動方向と方向規制滑材の滑り方向とが一致しない場合に、床面と方向規制滑材との間に摩擦による抵抗が生じるが、支持対象物の移動に追従して偏心軸が直ちに移動方向に誘導される結果、方向規制滑材の滑り方向が支持対象物の移動方向に沿うように下部ディスクが偏心軸を基点として自然に首振り旋回し、これにより支持対象物の移動方向へ向けた滑りが生じて該支持対象物の移動が容易となる。
【００１０】
更に、本発明においては、例えば、前記方向規制滑材を、毛足を一方向に向けて滑り方向を規制するようにした織布により構成したり、複数本の突条を一方向に向けて滑り方向を規制するようにした合成樹脂板により構成したりすることが可能である。
【００１１】
【発明の実施の形態】
以下本発明の実施の形態を図面を参照しつつ説明する。
【００１２】
図１〜図１５は本発明を実施する形態の一例を示すもので、図１は本形態例のキャスタの側面図、図２は図１の縦断面図、図３〜図１５は説明に関連する構成要素だけを周辺構造を省略して判り易く図示した説明図である。
【００１３】
図中１は家具類や荷台類、機械類等の支持対象物２における床面３との接地箇所に対し取付けられて前記支持対象物２の移動を容易ならしめるキャスタを示しており、ここに図示されているキャスタ１においては、実質的な床面３に対する接地部分が、略円形の平面形状を成す下部ディスク４（図３及び図４参照）により構成されている。
【００１４】
この下部ディスク４の上面における中心位置からずれた箇所には偏心軸５が立設されており、該下部ディスク４の上面には、略円形の平面形状を成し且つその中心部に前記偏心軸５を遊嵌せしめる遊嵌孔６を開口した上部ディスク７（図５及び図６参照）が摺動自在に載置されている。
【００１５】
ここで、下部ディスク４の上面には、上部ディスク７の下面に対し円滑な摺動を生じ得るよう摩擦力を減じるナイロンシートやテフロンシート（テフロンは登録商標）等の方向自在滑材８（図７及び図８参照）が装着されている。尚、この方向自在滑材８については、図示とは逆の配置として、上部ディスク７の下面に装着するようにしても良い。
【００１６】
また、前記上部ディスク７の外周部には、下部ディスク４の下端より若干高い位置まで垂下して下部ディスク４を極力覆い隠すようにしたスカート部９（図５及び図６参照）が形成されている。
【００１７】
一方、前記偏心軸５の上端には、該偏心軸５を基点として下部ディスク４と相似形状を成すように偏心した円盤型の係止板１０（図３及び図４参照）が一体的に取付けられており、この係止板１０は、前記遊嵌孔６より大きな平面形状を成すようになっていて前記偏心軸５の下方への抜脱を阻止するようにしてある。
【００１８】
更に、前記下部ディスク４の下面には、前記偏心軸５の中心位置に対する偏心方向（下部ディスク４の中心位置から偏心軸５の配置位置へと向かう半径方向）と一致する方向（図４中に矢印ｘで示す方向）へのみ滑りを生じるようにした方向規制滑材１１が装着されている。
【００１９】
ここで、この方向規制滑材１１には、例えば、図９及び図１０に示す如く、毛足を一方向に向けて滑り方向（図９中に矢印ｘで示す方向）を規制するようにした織布により構成したり、図１１及び図１２に示す如く、複数本の突条１１ａを一方向に向けて滑り方向（図１１中に矢印ｘで示す方向）を規制するようにした合成樹脂板により構成したりすることが可能である。
【００２０】
より具体的に述べれば、図９及び図１０に示している織布とは、洋服の表面に付着した埃を撫で取るエチケットブラシのブラシ面等として利用されているような素材のことを指しており、また、図１１及び図１２に示している合成樹脂板とは、滑りの悪くなった襖の下端や敷居溝等に接着して滑りを良くするようにした樹脂シートと略同様の素材のことを指している。
【００２１】
そして、前記上部ディスク７の上面には、前記係止板１０を拘束しないように該係止板１０の移動用空間１２を確保した取付部材１３（図１３及び図１４参照）の下部が装着されており、該取付部材１３の上部には、支持対象物２の支持脚の下面等に穿設されたネジ穴に対して螺着し得るようにした雄ネジ部１４が立設されていて、支持対象物２に対する取付構造を成すようになっている。
【００２２】
而して、このような構造としたキャスタ１を、支持対象物２の支持脚下面のネジ穴に取付部材１３の雄ネジ部１４を螺着することにより取付けて支持対象物２を支持させると、該支持対象物２の荷重が下部ディスク４の下面により床面３に対し面接触で安定して支えられることになり、しかも、下部ディスク４の上面に対し上部ディスク７の下面も面接触で安定して載置されることになるので、従来の転動輪を利用したキャスタの如き転倒モーメントが発生する虞れや床面３を傷つける虞れがなくなる。
【００２３】
また、支持対象物２を移動させるに際しては、下部ディスク４下面の方向規制滑材１１が方向性を持っているので、支持対象物２の移動方向と方向規制滑材１１の滑り方向とが一致しない場合に、床面３と方向規制滑材１１との間に摩擦による抵抗が生じるが、支持対象物２の移動に追従して偏心軸５が直ちに移動方向に誘導される結果、図１５に示す如く、方向規制滑材１１の滑り方向（図１５中に矢印ｘで示す方向）が支持対象物２の移動方向（図１５中に矢印ｙで示す方向）に沿うように下部ディスク４が偏心軸５を基点として自然に首振り旋回し、これにより支持対象物２の移動方向へ向けた滑りが生じて該支持対象物２の移動が容易となる。
【００２４】
従って、上記形態例によれば、支持対象物２を床面３に対し面接触で安定して支えることができるので、従来の転動輪を利用したキャスタの如き転倒モーメントの発生を未然に回避し得て安全性の大幅な向上を図ることができ、しかも、従来の転動輪を利用したキャスタの場合と同様に小さな力でも軽やかに支持対象物２を滑らせて床面３を傷つけることなく簡単に移動させることができる。
【００２５】
また、フローリング等のような硬い床面３を移動させるに際し、従来の転動輪を利用したキャスタの場合のように、転動輪がゴロゴロと音を発して転がるような不具合が起こらないので、硬い床面３であっても静かに支持対象物２を移動させることができる。
【００２６】
更に、主として略円形の平面形状を成す下部ディスク４と上部ディスク７との重ね合わせによる美観の良い幾何学形状の外観を呈することになるので、特に家具等を支持するにあたり、その家具等の意匠的な美観を損なうことなく適用することができ、しかも、家具等の支持脚の断面内に収め易い形状となっているので、キャスタ１の存在自体を目立たせないようにすることもできる。
【００２７】
また、方向規制滑材１１として、図９及び図１０に示す如き毛足を一方向に向けて滑り方向を規制するようにした織布を採用した場合には、例えば、引き出しを備えた家具を別の家具等に挟まれた隙間に滑り込ませて配置したような場合に、引き出しを手前に引き出しても、その引き出し方向には織布の毛足が逆毛の状態となって大きな摩擦を生じるので、家具が引き出しと一緒に引き出されてしまうような不具合を確実に防止することができる。
【００２８】
他方、方向規制滑材１１として、図１１及び図１２に示す如き複数本の突条１１ａを一方向に向けて滑り方向を規制するようにした合成樹脂板を採用した場合には、複数本の突条１１ａが延びている方向（図１１中に矢印ｘで示す方向）の前後に円滑に往復移動させることができるので、通常時に別の家具等に挟まれた隙間に収めておいて必要時にだけ引き出して利用するといった使用形態の支持対象物２である場合に便利である。
【００２９】
尚、本発明のキャスタは、上述の形態例にのみ限定されるものではなく、方向規制滑材には図示する例以外のものを採用しても良いこと、また、取付物材の支持対象物に対する取付構造は図示する例に限定されないこと、その他、本発明の要旨を逸脱しない範囲内において種々変更を加え得ることは勿論である。
【００３０】
【発明の効果】
上記した本発明のキャスタによれば、下記の如き種々の優れた効果を奏し得る。
【００３１】
（Ｉ）本発明の請求項１に記載の発明によれば、支持対象物を床面に対し面接触で安定して支えることができるので、従来の転動輪を利用したキャスタの如き転倒モーメントの発生を未然に回避し得て安全性の大幅な向上を図ることができ、しかも、従来の転動輪を利用したキャスタの場合と同様に小さな力でも軽やかに支持対象物を滑らせて床面を傷つけることなく簡単に移動させることができ、更には、フローリング等のような硬い床面であっても静かに支持対象物を移動させることができる。
【００３２】
（ＩＩ）本発明の請求項１に記載の発明によれば、主として略円形の平面形状を成す下部ディスクと上部ディスクとの重ね合わせによる美観の良い幾何学形状の外観を呈することになるので、特に家具等を支持するにあたり、その家具等の意匠的な美観を損なうことなく適用することができ、しかも、家具等の支持脚の断面内に収め易い形状となっているので、キャスタの存在自体を目立たせないようにすることができる。
【００３３】
（ＩＩＩ）本発明の請求項２に記載の発明によれば、例えば、引き出しを備えた家具を別の家具等に挟まれた隙間に滑り込ませて配置したような場合に、引き出しを手前に引き出しても、その引き出し方向には織布の毛足が逆毛の状態となって大きな摩擦を生じるので、家具が引き出しと一緒に引き出されてしまうような不具合を確実に防止することができる。
【００３４】
（ＩＶ）本発明の請求項３に記載の発明によれば、複数本の突条が延びている方向の前後に円滑に往復移動させることができるので、通常時に別の家具等に挟まれた隙間に収めておいて必要時にだけ引き出して利用するといった使用形態の支持対象物である場合に便利である。
【図面の簡単な説明】
【図１】本発明を実施する形態の一例を示す側面図である。
【図２】図１の縦断面図である。
【図３】図２の下部ディスク及び係止板のみを示す縦断面図である。
【図４】図３のＩＶ−ＩＶ方向の矢視図である。
【図５】図２の上部ディスクのみを示す縦断面図である。
【図６】図５のＶＩ−ＶＩ方向の矢視図である。
【図７】図２の方向自在滑材のみを示す縦断面図である。
【図８】図７のＶＩＩＩ−ＶＩＩＩ方向の矢視図である。
【図９】方向規制滑材の一例を示す平面図である。
【図１０】図９のＸ−Ｘ方向の矢視図である。
【図１１】方向規制滑材の別の例を示す平面図である。
【図１２】図１１のＸＩＩ−ＸＩＩ方向の矢視図である。
【図１３】図２の取付部材のみを示す縦断面図である。
【図１４】図１３のＸＩＶ−ＸＩＶ方向の矢視図である。
【図１５】キャスタの移動時における下部ディスクの姿勢を示す平面図である。
【図１６】従来のキャスタの一例を示す側面図である。
【符号の説明】
１  キャスタ
２  支持対象物
４  下部ディスク
５  偏心軸
６  遊嵌孔
７  上部ディスク
１０  係止板
１１  方向規制滑材
１１ａ  突条
１３  取付部材
【図１】
0003652258.tif 000002
【図２】
0003652258.tif 000003
【図３】
0003652258.tif 000004
【図４】
0003652258.tif 000005
【図５】
0003652258.tif 000006
【図６】
0003652258.tif 000007
【図７】
0003652258.tif 000008
【図８】
0003652258.tif 000009
【図９】
0003652258.tif 000010
【図１０】
0003652258.tif 000011
【図１１】
0003652258.tif 000012
【図１２】
0003652258.tif 000013
【図１３】
0003652258.tif 000014
【図１４】
0003652258.tif 000015
【図１５】
0003652258.tif 000016
【図１６】
0003652258.tif 000017